(57)【特許請求の範囲】
【請求項１】
取得した複数の画像の属性を表示部に表示する画像表示装置において、
属性を表す図形が属性毎に記憶されている記憶手段と、
前記画像の属性を検出する属性検出手段と、
該属性検出手段の検出結果に基づき、前記画像の属性に対応する図形を前記表示部に表示する属性表示手段と、
前記複数の画像の数が、一覧表示で表示できる図形の一覧数より多いか否かを判定する数判定手段と、
前記複数の画像の数が前記一覧数より多い場合、該複数の画像の一部からなる画像の組を決定する組決定手段と、
該組決定手段の決定結果に基づき、前記図形の一覧表示の際、前記属性表示手段が前記画像の組に係る画像の属性に対応する各図形中、１つを表示するように構成されていることを特徴とする画像表示装置。
【請求項２】
前記複数の画像には画像番号が付されており、
前記組決定手段は各画像の画像番号に基づき、前記画像の組を決定するように構成されていることを特徴とする請求項１に記載の画像表示装置。
【請求項３】
前記複数の画像には画像番号が付されており、連続画像番号を有する画像から前記画像の組が決定され、
前記画像の組に係る画像の属性が全て同一であるか否かを判定する属性判定手段を備え、
該属性判定手段が前記画像の組に係る画像の属性が全て同一でないと判定した場合、前記属性表示手段は該画像の組に係る画像の各属性に対応する図形を順次反復して表示するように構成されていることを特徴とする請求項１に記載の画像表示装置。
【請求項４】
前記一覧表示は各図形を前記画像番号順に基づいて並列させて行われ、
前記属性表示手段は、
前記画像の組に係る画像の各属性に対応する図形を順次反復して表示する場合、
該図形の中、前記一覧表示の際、隣に表示すべき図形の何れかと同一である図形は表示しないように構成されていることを特徴とする請求項３に記載の画像表示装置。
【請求項５】
前記属性表示手段は、
表示すべき図形が１つである場合、該１つの図形を静止表示するように構成されていることを特徴とする請求項４に記載の画像表示装置。
【請求項６】
前記記憶手段には、属性を表す色を特定する色データが属性毎に記憶されており、
前記属性表示手段は、前記属性検出手段の検出結果に基づき、画像の属性に対応する色を前記図形に付けるように構成されていることを特徴とする請求項１に記載の画像表示装置。
【請求項７】
前記表示部に一覧表示された図形への接触操作に係る位置を検出する位置検出手段と、
該位置検出手段の検出結果に基づき、前記表示部の表示画面上における、前記接触操作に係る所定範囲を決定する範囲決定手段と、
前記所定範囲に係る図形を候補図形として決定する候補決定手段と、
前記候補図形が前記画像番号の連続する２つである場合、該２つの候補図形の属性が同一であるか否かを判定する候補属性判定手段と、
前記２つの候補図形の属性が同一でないと判定された場合、前記画像番号が低い方の候補図形と、該候補図形より前記画像番号が１つ低い図形との属性が同一であるか否かを判定する非候補属性判定手段と、
該非候補属性判定手段の判定結果に基づき、前記２つの候補図形の中、何れか１つの候補図形に係る画像を前記表示部に表示する画像表示手段と
を備えることを特徴とする請求項３から請求項５の何れか１つに記載の画像表示装置。
【請求項８】
請求項１から請求項７の何れか１つに記載の画像表示装置を備え、
該画像表示装置によって前記表示部に表示された画像をシート状の記録媒体に形成するように構成されていることを特徴とする画像形成装置。
【請求項９】
取得した複数の画像が表示される表示部と、画像の属性を表す図形が属性毎に記憶されている記憶部とを備える画像表示装置で、前記画像の属性を前記表示部に表示する属性表示方法において、
前記画像の属性を検出する属性検出ステップと、
該属性検出ステップの検出結果に基づき、前記画像の属性に対応する図形を前記表示部に表示する属性表示ステップと、
前記複数の画像の数が、一覧表示で表示できる図形の一覧数より多いか否かを判定する数判定ステップと、
前記複数の画像の数が前記一覧数より多い場合、該複数の画像の一部からなる画像の組を決定する組決定ステップと、
該組決定ステップでの決定結果に基づき、前記図形の一覧表示の際、前記画像の組に係る画像の属性に対応する各図形中、１つを表示するステップと
を含むことを特徴とする属性表示方法。
【請求項１０】
取得した複数の画像が表示される表示部と、画像の属性を表す図形が属性毎に記憶されている記憶部とを備える画像表示装置を構成するコンピュータに、前記画像の属性を前記表示部に表示させるコンピュータプログラムにおいて、
コンピュータに、前記画像の属性を検出させる属性検出ステップと、
コンピュータに、前記属性検出ステップの検出結果に基づき、前記画像の属性に対応する図形を前記表示部に表示させる属性表示ステップと、
コンピュータに、前記複数の画像の数が、一覧表示で表示できる図形の一覧数より多いか否かを判定させる数判定ステップと、
コンピュータに、前記複数の画像の数が前記一覧数より多い場合、該複数の画像の一部からなる画像の組を決定させる組決定ステップと、
コンピュータに、前記組決定ステップでの決定結果に基づき、前記図形の一覧表示の際、前記画像の組に係る画像の属性に対応する各図形中、１つを表示させるステップと
を実行させることを特徴とするコンピュータプログラム。
【請求項１１】
請求項１０に記載のコンピュータプログラムを記録してあることを特徴とするコンピュータでの読み取りが可能な記録媒体。
【発明の詳細な説明】
【技術分野】
【０００１】
本発明は、取得した画像の属性を表示部に表示する、画像表示装置、該画像表示装置を備える画像形成装置、属性表示方法、コンピュータプログラム並びに記録媒体に関する。
【背景技術】
【０００２】
近年、複合機のような画像形成装置の多くは、自動原稿送り装置（ＡＤＦ）が装着されており、複数ページの原稿の場合であっても自動的に原稿を送って、短時間内に複写、画像読取等を行うことが出来る。
【０００３】
また、文字方向を認識して原稿の向きを検出する、いわゆる天地認識技術を用いて読み取った画像に対応する原稿の方向を検出し、原稿の中に向きが揃っていない原稿が含まれている場合に対応できる技術も提案されている。
【０００４】
例えば、特許文献１では、読み取った画像データの天地認識結果を、ページ毎に画像データと共に記憶しておき、該天地認識結果に基づき必要に応じて回転処理を行い、又は各ページの天地認識結果を例えばＬＣＤパネルに表示して、利用者による個別の修正を受け付ける画像処理装置が開示されている。
【先行技術文献】
【特許文献】
【０００５】
【特許文献１】特開２００２−１９０９４０号公報
【発明の概要】
【発明が解決しようとする課題】
【０００６】
しかしながら、上述した特許文献１の画像処理装置は、画像認識処理の不完全さを補いつつ、使い勝手を良くすることは出来るものの、利用者が全てのページに係る画像データに対して、一枚ずつ天地認識結果を確認して修正を行うこととなるので、読み取った原稿のページ数が多い場合においては、利用者にとって作業負担が大きくなるといった問題があった。
【０００７】
本発明は、斯かる事情に鑑みてされたものであり、その目的とするところは、画像の属性を表す図形を属性毎に記憶しておき、取得した画像の属性を検出し、該属性の検出結果に基づき、該属性に対応する図形を表示部に表示することにより、複数の画像の属性を複数の図形で一括表示でき、画像の属性の確認における利用者の利便性を図って作業負担を軽減させると共に、作業能率を高めることが出来る画像表示装置、画像形成装置、属性表示方法、コンピュータプログラム及び記録媒体を提供することにある。
【課題を解決するための手段】
【０００８】
本発明に係る画像表示装置は、取得した複数の画像の属性を表示部に表示する画像表示装置において、属性を表す図形が属性毎に記憶されている記憶手段と、前記画像の属性を検出する属性検出手段と、該属性検出手段の検出結果に基づき、前記画像の属性に対応する図形を前記表示部に表示する属性表示手段と、前記複数の画像の数が、一覧表示で表示できる図形の一覧数より多いか否かを判定する数判定手段と、前記複数の画像の数が前記一覧数より多い場合、該複数の画像の一部からなる画像の組を決定する組決定手段と、該組決定手段の決定結果に基づき、前記図形の一覧表示の際、前記属性表示手段が前記画像の組に係る画像の属性に対応する各図形中、１つを表示するように構成されていることを特徴とする。
【０００９】
本発明にあっては、画像を取得した場合、前記属性検出手段が該画像の属性を検出する。該属性検出手段の検出結果に基づき、前記属性表示手段が、前記画像の属性に対応する図形を、前記記憶手段の記憶内容に基づき、前記表示部に表示する。取得した画像が複数である場合、前記数判定手段は該複数の画像の数が前記一覧数より多いか否かを判定し、該複数の画像の数が前記一覧数より多い場合は、組決定手段が該複数の画像の一部からなる画像の組を決定する。前記属性表示手段は、前記組決定手段の決定結果に基づき、前記図形の一覧表示の際、前記画像の組に係る画像の属性に対応する各図形中、１つを表示する。従って、取得した画像が複数である場合、複数の画像の属性を対応する図形を用いて一括して表示することが出来る。
【００１２】
本発明に係る画像表示装置は、前記複数の画像には画像番号が付されており、前記組決定手段は各画像の画像番号に基づき、前記画像の組を決定するように構成されていることを特徴とする。
【００１３】
本発明にあっては、取得した画像が複数である場合であって、該複数の画像の数が前記一覧数より多い場合は、前記組決定手段が、各画像の画像番号に基づき、前記複数の画像の一部からなる画像の組を決定する。
【００１４】
本発明に係る画像表示装置は、前記複数の画像には画像番号が付されており、連続画像番号を有する画像から前記画像の組が決定され、前記画像の組に係る画像の属性が全て同一であるか否かを判定する属性判定手段を備え、該属性判定手段が前記画像の組に係る画像の属性が全て同一でないと判定した場合、前記属性表示手段は該画像の組に係る画像の各属性に対応する図形を順次反復して表示するように構成されていることを特徴とする。
【００１５】
本発明にあっては、取得した画像が複数である場合であって、該複数の画像の数が前記一覧数より多い場合は、前記組決定手段が連続画像番号を有する画像から前記画像の組を決定する。前記属性判定手段は、決定された画像の組に係る画像の属性が全て同一であるか否かを判定し、属性が全て同一でないと判定した場合、前記属性表示手段は当該画像の組に係る画像の各属性に対応する図形を１つずつ順次反復して表示する。
【００１６】
本発明に係る画像表示装置は、前記一覧表示は各図形を前記画像番号順に基づいて並列させて行われ、前記属性表示手段は、前記画像の組に係る画像の各属性に対応する図形を順次反復して表示する場合、該図形の中、前記一覧表示の際、隣に表示すべき図形の何れかと同一である図形は表示しないように構成されていることを特徴とする。
【００１７】
本発明にあっては、前記属性表示手段は、所定の画像の組に係る画像の各属性に対応する図形を１つずつ順次反復して表示する場合、該図形の中に、前記図形の一覧表示の際に隣に表示すべき図形の何れかと同一である図形が存在する場合、該図形を前記順次反復表示から除外し、他の図形のみを順次反復して表示する。
【００１８】
本発明に係る画像表示装置は、前記属性表示手段は、表示すべき図形が１つである場合、該１つの図形を静止表示するように構成されていることを特徴とする。
【００１９】
本発明にあっては、前記順次反復表示する際、例えば、隣に表示すべき図形の何れかと同一である属性が該順次反復表示から除外されることにより、順次反復表示すべき属性が１つのみとなった場合、前記属性表示手段は、該１つの図形を順次反復表示せず、静止表示する。
【００２０】
本発明に係る画像表示装置は、前記記憶手段には、属性を表す色を特定する色データが属性毎に記憶されており、前記属性表示手段は、前記属性検出手段の検出結果に基づき、画像の属性に対応する色を前記図形に付けるように構成されていることを特徴とする。
【００２１】
本発明にあっては、前記属性検出手段が取得した画像の属性を検出し、該属性検出手段の検出結果に基づき、前記属性表示手段が、前記記憶手段の記憶内容に基づき、前記画像の属性に対応する色を前記図形に付けて前記表示部に表示する。すなわち、図形を用いる属性の表示、及び色を用いる属性の表示が共に行われるので、１つの画像に対する複数の属性を同時に表示できる。
【００２２】
本発明に係る画像表示装置は、前記表示部に一覧表示された図形への接触操作に係る位置を検出する位置検出手段と、該位置検出手段の検出結果に基づき、前記表示部の表示画面上における、前記接触操作に係る所定範囲を決定する範囲決定手段と、前記所定範囲に係る図形を候補図形として決定する候補決定手段と、前記候補図形が前記画像番号の連続する２つである場合、該２つの候補図形の属性が同一であるか否かを判定する候補属性判定手段と、前記２つの候補図形の属性が同一でないと判定された場合、前記画像番号が低い方の候補図形と、該候補図形より前記画像番号が１つ低い図形との属性が同一であるか否かを判定する非候補属性判定手段と、該非候補属性判定手段の判定結果に基づき、前記２つの候補図形の中、何れか１つの候補図形に係る画像を前記表示部に表示する画像表示手段とを備えることを特徴とする。
【００２３】
本発明にあっては、前記表示部に一覧表示された図形への接触操作に係る位置を検出して、この検出結果に基づき、前記表示部の表示画面上における、前記接触操作に係る所定範囲を決定する。前記所定範囲に係る図形を候補図形として決定し、前記候補図形が画像番号の連続する２つである場合、該２つの候補図形の属性が同一であるか否かを判定する。該２つの候補図形の属性が同一でないと判定された場合、該２つの候補図形のうち、前記画像番号が低い方の候補図形と、該候補図形より前記画像番号が１つ低い図形との属性が同一であるか否かを判定する。前記画像番号が低い方の候補図形と、該候補図形より前記画像番号が１つ低い図形との属性が同一であると判定された場合、前記画像番号が高い方の図形に係る画像が前記表示部に表示され、同一でないと判定された場合は、前記画像番号が低い方の候補図形に係る画像が前記表示部に表示される。
【００２４】
本発明に係る画像形成装置は、前述の発明の何れか１つに記載の画像表示装置を備え、該画像表示装置によって前記表示部に表示された画像をシート状の記録媒体に形成するように構成されていることを特徴とする。
【００２５】
本発明にあっては、例えば、前記画像表示装置によって前記表示部に表示された図形に対応する画像をシート状の記録媒体に形成する。
【００２６】
本発明に係る属性表示方法は、取得した複数の画像が表示される表示部と、画像の属性を表す図形が属性毎に記憶されている記憶部とを備える画像表示装置で、前記画像の属性を前記表示部に表示する属性表示方法において、前記画像の属性を検出する属性検出ステップと、該属性検出ステップの検出結果に基づき、前記画像の属性に対応する図形を前記表示部に表示する属性表示ステップと、前記複数の画像の数が、一覧表示で表示できる図形の一覧数より多いか否かを判定する数判定ステップと、前記複数の画像の数が前記一覧数より多い場合、該複数の画像の一部からなる画像の組を決定する組決定ステップと、該組決定ステップでの決定結果に基づき、前記図形の一覧表示の際、前記画像の組に係る画像の属性に対応する各図形中、１つを表示するステップとを含むことを特徴とする。
【００２７】
本発明に係るコンピュータプログラムは、取得した複数の画像が表示される表示部と、画像の属性を表す図形が属性毎に記憶されている記憶部とを備える画像表示装置を構成するコンピュータに、前記画像の属性を前記表示部に表示させるコンピュータプログラムにおいて、コンピュータに、前記画像の属性を検出させる属性検出ステップと、コンピュータに、前記属性検出ステップの検出結果に基づき、前記画像の属性に対応する図形を前記表示部に表示させる属性表示ステップと、コンピュータに、前記複数の画像の数が、一覧表示で表示できる図形の一覧数より多いか否かを判定させる数判定ステップと、コンピュータに、前記複数の画像の数が前記一覧数より多い場合、該複数の画像の一部からなる画像の組を決定させる組決定ステップと、コンピュータに、前記組決定ステップでの決定結果に基づき、前記図形の一覧表示の際、前記画像の組に係る画像の属性に対応する各図形中、１つを表示させるステップとを実行させることを特徴とする。
【００２８】
本発明にあっては、画像が取得された場合、該画像の属性が検出される。該属性の検出結果に基づき、前記記憶部から前記画像の属性に対応する図形が読み出され、該画像の属性として前記表示部に表示される。取得した画像が複数である場合、該複数の画像の数が前記一覧数より多いか否かが判定され、該複数の画像の数が前記一覧数より多い場合は、該複数の画像の一部からなる画像の組が決定される。このような決定結果に基づき、前記図形の一覧表示の際、前記画像の組に係る画像の属性に対応する各図形中、１つが表示される。
【００２９】
本発明に係る記録媒体は、前述の発明のコンピュータプログラムを記録してあることを特徴とする。
【００３０】
本発明にあっては、前記記録媒体に前述のコンピュータプログラムを記録する。コンピュータが前記記録媒体からコンピュータプログラムを読み出して、前述の画像表示装置、画像形成装置、及び属性表示方法がコンピュータにより実現される。
【発明の効果】
【００３１】
本発明によれば、複数の画像の属性を複数の図形で一括して表示することができるので、数の多い画像の属性を確認する場合、利用者の利便性を図って作業負担を軽減させると共に、作業能率を高めることが出来る。
【図面の簡単な説明】
【００３２】
【図１】本発明の実施の形態１のデジタル複合機の要部構成を示す機能ブロック図である。
【図２】本発明の実施の形態１のデジタル複合機の画像処理装置の要部構成を示す機能ブロック図である。
【図３】本発明の実施の形態１のデジタル複合機の出力階調補正部による補正に用いられるガンマ曲線の一例を示す例示図である。
【図４】本発明の実施の形態１のデジタル複合機の制御部の要部構成を示す機能ブロック図である。
【図５】本発明の実施の形態１のデジタル複合機における、原稿画像の属性表す図形及び色の一例を示す例示図である。
【図６】接触面積が２つの図形に跨る場合、タッチ操作された図形を割り出すだめの処理を説明する説明図である。
【図７】本発明の実施の形態１のデジタル複合機の表示制御部の要部構成を示す機能ブロック図である。
【図８】本発明の実施の形態１のデジタル複合機による図形の一覧表示の処理を説明するフローチャートである。
【図９】本発明の実施の形態１のデジタル複合機の原稿属性検出部によって検出されて記憶部に記憶された、原稿の各原稿画像の属性の一例を示すテーブルである。
【図１０】本発明の実施の形態１のデジタル複合機による図形の一覧表示の処理結果の一例を示す例示図である。
【図１１】本発明の実施の形態１のデジタル複合機において、表示すべき属性の選択を受け付ける選択画面の一例を示す例示図である。
【図１２】図１１に例示したような指示を受け付けた場合において、図９の属性検出結果に基づく属性の一覧表示を示す例示図である。
【図１３】一覧表示された属性の内、利用者のタッチ操作によって選択された属性に係る原稿画像を表示する処理を説明するフローチャートである。
【図１４】本発明の実施の形態２のデジタル複合機の表示制御部の要部構成を示す機能ブロック図である。
【図１５】本発明の実施の形態２のデジタル複合機において、組決定部による画像の組の決定を説明するテーブルである。
【図１６】本発明の実施の形態２のデジタル複合機による図形の一覧表示の処理を説明するフローチャートである。
【図１７】本発明の実施の形態２のデジタル複合機において、画像入力装置にて読み取られた原稿の原稿画像の数が図形の一覧数より多い場合の図形の一覧表示を示す例示図である。
【図１８】本発明の実施の形態３のデジタル複合機の表示制御部の要部構成を示す機能ブロック図である。
【図１９】本発明の実施の形態３のデジタル複合機において、属性表示部の作用を説明する説明図である。
【図２０】本発明の実施の形態３のデジタル複合機による図形の一覧表示の処理を説明するフローチャートである。
【図２１】本発明の実施の形態４のデジタル複合機の要部構成を示す機能ブロック図である。
【発明を実施するための形態】
【００３３】
以下、本発明に係る画像表示装置、画像形成装置、属性表示方法、コンピュータプログラム及び記録媒体を、コピー機能、印刷機能等を有するデジタル複合機に適用した形態について、図面を用いて具体的に説明する。
【００３４】
（実施の形態１）
本発明の実施の形態１に係るデジタル複合機においては、例えば、複数ページの原稿の画像を読み取り、読み取られた原稿の画像（取得した画像）と、該画像の属性とを表示部に表示することが出来る。前記属性とは、当該画像に係る原稿の種別（例えば、文字原稿、網点原稿、写真原稿、文字／網点原稿等）、原稿の向き（いわゆる天地方向）、カラー画像／モノクローム画像等である。
【００３５】
また、前記表示部に前記原稿の各画像に係る図形の一覧表示が可能であり、例えば、一覧表示された図形の内、何れか１つの図形を利用者が指先等でタッチ操作した場合、該タッチ操作された図形に対応する画像が前記表示部に表示されるように構成されている。
【００３６】
図１は本発明の実施の形態１のデジタル複合機１の要部構成を示す機能ブロック図である。実施の形態１のデジタル複合機１は、画像入力装置３と、画像出力装置５と、画像処理装置４と、通信装置６と、画像表示部８（表示部）と、記憶部９（記憶手段）と、操作パネル１０とを備えており、これらのハードウェアはバスＮによって制御部２に接続されている。
【００３７】
画像入力装置３は、処理すべき原稿の画像データの光学的読み取りを行う。また、画像入力装置３は、読み取り用の原稿に光を照射する光源、例えばＣＣＤ（Charge Coupled Device）のようなイメージセンサ等を有する。画像入力装置３では、所定の読取り位置にセットされた原稿からの反射光像を当該イメージセンサに結像させ、ＲＧＢ（R : Red, G : Green, B : Blue）のアナログデータを出力する。
【００３８】
画像出力装置５は、画像処理装置４から出力される画像データに基づく画像を記録用紙、ＯＨＰフィルム等のシート上に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像をシート上に転写する転写器等を備えており、例えば、電子写真方式にて画像をシート上に形成する。
【００３９】
通信装置６は、画像処理装置４にて処理した後の画像データを外部へ送信するネットワークカード、モデム等を備え、例えば、前記画像データをメールに添付して設定された送信先に送信する。
【００４０】
記憶部９は、例えば、ハードディスク等の不揮発性の半導体メモリであり、画像入力装置３を介して取得した原稿の画像（以下、原稿画像）、又は取得した複数の画像にページ番号（画像番号）を付し、各原稿画像とページ番号とを対応させて記憶する。また、記憶部９は後述する原稿属性検出部４３によって検出された各原稿画像の属性を、当該ページ番号に関連付けて記憶する。なお、記憶部９は属性を表す図形に係る画像データ、及び属性を表す色（又は濃淡）を特定する色データを予め属性毎に記憶しており、後述する属性表示部１１２は、前記図形又は色（又は濃淡）を用いて各画像の属性を表示する。なお、前記図形の一覧表示は、前記ページ番号順に基づいて行われる。
【００４１】
また、操作パネル１０は、デジタル複合機１における「ファックス」、「複写」、「印刷」、「メール」等の機能を切り替える機能ボタン、テンキー、受け付けた指示を確定するためのエンターキー、画像入力装置３を介して読み取った原稿画像をシート状に画像形成するための「出力」キー又は「コピー」キー等を備えている。
【００４２】
画像表示部８は、例えば液晶ディスプレイからなり、デジタル複合機１の状態、ジョブ処理の状況、画像入力装置３が読み取った原稿画像及び該画像の属性を表す図形、操作パネル１０の操作内容の確認等、利用者に対して報知すべき情報を表示する。
【００４３】
また、画像表示部８はタッチパネル８１（位置検出手段）を備えており、利用者の指先のタッチ操作による圧力の変化を検知し、又は静電気による電気信号を検知して、利用者の指先の接触点の画像表示部８の画面上の座標を検出し、該座標を特定する信号を発生する。従って、タッチパネル８１を介して利用者からの指示を受け付けることが出来る。
【００４４】
画像処理装置４は、例えば画像入力装置３から入力されるアナログデータを基にデジタル形式の画像データを生成し、又は記憶部９に記憶されている画像データを読み出し、夫々の画像の種類に応じた処理を施した後、出力用画像データを生成する。画像処理装置４によって生成された出力用画像データは、画像出力装置５又は通信装置６に出力される。
【００４５】
また、画像処理装置４は表示制御部１１を備えている。表示制御部１１は、例えば画像入力装置３を介して原稿の原稿画像が入力され、該原稿画像の属性を前記図形又は色を用いて画像表示部８に表示する際、前記図形及び色の表示を制御する。
【００４６】
図２は本発明の実施の形態１のデジタル複合機１の画像処理装置４の要部構成を示す機能ブロック図である。画像処理装置４は、表示制御部１１以外に、Ａ／Ｄ（アナログ／デジタル）変換部４０、シェーディング補正部４１、入力処理部４２、原稿属性検出部４３、原稿補正部４４、色補正部４５、黒生成／下色除去部４６、空間フィルタ部４７、出力階調補正部４８、中間調生成部４９、領域分離処理部５０、文字認識部５１、描画コマンド生成部５２、及びフォーマット化処理部５３を備えている。
【００４７】
以下、これらの作用について詳しく説明する。説明は、画像処理装置４による印刷動作及びイメージ送信動作の場合を例として説明する。図中、印刷動作における処理の流れは実線の矢印にて表示し、イメージ送信動作における処理の流れは破線の矢印にて表示してある。
【００４８】
まず、印刷動作の場合について説明する。
画像入力装置３から入力されたカラー画像信号（ＲＧＢアナログ信号）は、Ａ／Ｄ変換部４０にてデジタル信号に変換され、シェーディング補正部４１にて画像入力装置３の照明系、結像系、撮像系で生じる各種の歪みが取り除かれる。その後、入力処理部４２においてＲＧＢ信号のそれぞれに対してγを補正する処理などが施される。
【００４９】
入力処理部４２から出力されたデータは、記憶部９に引き渡される。そして一旦記憶部９に保存された画像データを用いて、原稿属性検出部４３にて各画像の属性（天地方向、原稿種別、カラー／モノクローム等）の検知が行われ、原稿補正部４４にて、記憶部９に保存された画像データに対して、補正処理を行う。
【００５０】
以下、原稿属性検出部４３による画像の属性検出処理について詳しく説明する。
１．天地方向の検出方法
（１）ＯＣＲ技術を用い文字認識を行い、原稿内の一文字、一文字を切り出し、その文字をパターン化する。
（２）文字パターンの特徴とデータベース化された文字パターン情報とを比較する。マッチングの方法としては、データベース化された文字パターンに切り出された文字パターンを重ね合わせ、画素ごとの白黒を比較し、全てが合致したときのデータベース化された文字パターンを入力パターンの文字であると判別する。全てが合致する文字パターンがない場合、マッチングする画素が最も多い文字パターンの文字であると判別する。なお、所定のマッチング割合に達しなければ判別不能と判断する。
（３）切り出された文字パターンを９０°、１８０°、２７０°回転させ、（２）の処理を繰りかえす。
（４）上述のように得られた文字パターンの回転角毎の判別可能な文字数の比較を行い、判別可能な文字数が最も多い回転角を文字の方向とし原稿の天地を検出する。
【００５１】
２．原稿種別の検出方法
（１）注目画素を含むｎ×ｍ（例えば、７×１５）のブロックにおける最小濃度値及び、最大濃度値を算出する。
（２）算出された最小濃度値及び最大濃度値を用いて最大濃度差を算出する。
（３）隣接する画素の濃度差の絶対値の総和である総和濃度繁雑度（例えば、主走査方向と副走査方向について算出した値の和）を算出する。
（４）算出された最大濃度差と、記憶部９に予め記憶されている最大濃度差閾値との比較、及び算出された総和濃度繁雑度と、記憶部９に予め記憶されている総和濃度繁雑度閾値との比較を行う。
最大濃度差＜最大濃度差閾値および総和濃度繁雑度＜総和濃度繁雑度閾値のとき、注目画素は下地・印画紙領域に属すると判定する。
上記条件を充たさないとき、注目画素は文字・網点領域に属すると判定する。
（５）下地・印画紙領域に属すると判定された画素について
注目画素が、最大濃度差＜下地・印画紙判定閾値を充たすとき、下地画素であると判定し、上記条件を充たさないとき、印画紙画素であると判定する。
（６）文字・網点領域に属すると判定された画素について
注目画素が、総和濃度繁雑度＜最大濃度差に文字・網点判定閾値を掛けた値の条件を充たすとき、文字画素であると判定し、上記条件を充たさないとき、網点画素であると判定する。
（７）下地領域、印画紙写真領域、文字領域および網点領域に分類された画素数をカウントし、それぞれのカウント値と、記憶部９に予め記憶されている下地領域、印画紙領域、網点領域及び文字領域に対する閾値と比較して原稿全体の種別を判定する。例えば、文字、網点、印画紙写真の順に検出精度が高いとすると、文字領域の比率が全画素数の３０％以上の場合には文字原稿、網点領域の比率が全画素数の２０％以上の場合には網点原稿（印刷写真原稿）、印画紙写真領域の比率が全画素数の１０％以上の場合には印画紙写真原稿であると判定する。また、文字領域の比率と網点領域の比率とが、それぞれ閾値以上であるとき、文字／網点原稿（文字印刷写真原稿）であると判定する。
【００５２】
３．カラー／モノクロームの検出方法
この方法は、各画素毎にカラー画素であるかモノクローム画素であるかを判別し、与えられる画素順で所定数以上の連続するカラー画素の存在が検知されると、この連続カラー画素分をカラーブロックと認識し、１ライン中に所定数以上のカラーブロックが存在していれば、そのラインをカラーラインとして計数する。そして、原稿中のカラーラインが所定数存在していればカラー画像と判断し、そうでない場合はモノクローム画像と判断する。原稿中にどの程度カラー画素が含まれていれば、カラー原稿と判定するのかにより、カラーブロックであるか否かを判定する基準、原稿中のカラーラインの数を適切に設定すれば良い。
以上のように検出された結果、すなわち各原稿画像の属性は、各画像のページ番号と関連付けられ、記憶部９に記憶される。
【００５３】
一方、原稿補正が施された画像データをファイリングデータとして管理するようにしても良い。この場合、前記画像データは、例えば、ＪＰＥＧ圧縮アルゴリズムに基づいてＪＰＥＧコードに圧縮されて格納される。コピー出力動作又はプリント出力動作が指示された場合は、記憶部９からＪＰＥＧコードが引き出され、ＪＰＥＧ伸張部（図示せず）に引き渡されて復号化処理が施され、ＲＧＢデータに変換される。
【００５４】
後述するイメージ送信動作の場合は、記憶部９からＪＰＥＧコードが引き出され、ネットワーク網及び通信回線を介して外部接続装置及び通信回線に向けてデータが伝送される。なお、ファイリングデータの管理及びデータの引渡しの動作制御については制御部２が行うものとする。
【００５５】
色補正部４５では、ＲＧＢ信号の補色であるＣＭＹ（Ｃ：シアン・Ｍ：マゼンタ・Ｙ：イエロー）信号が生成されると共に色再現性を高める処理が施され、黒生成／下色除去部４６にてＣＭＹＫ（Ｋ：黒）の４色信号に変換される。空間フィルタ部４７ではＣＭＹＫ信号に対して強調処理及び平滑化処理がなされ、出力階調補正部４８では用紙、フィルム等の記録媒体に出力するための出力γ補正処理がなされる。中間調生成部４９では画像を出力するための階調再現処理が行われる。
【００５６】
一方、領域分離処理部５０においては入力された画像データの各画素が黒文字、色文字、網点、印画紙写真（連続階調領域）等のどのような領域に属する画素であるのか判定が行われる。領域分離処理部５０より出力された領域分離データは黒生成／下色除去部４６、空間フィルタ部４７及び中間調生成部４９に夫々引き渡され、各種領域に応じた適切な処理の切替えが行われる。中間調生成部４９から出力されたＣＭＹＫ信号は画像出力装置５に引き渡され、出力画像が形成される。
【００５７】
次いで、イメージ送信動作の場合について説明する。
イメージ送信動作においては、画像入力装置３、Ａ／Ｄ変換部４０、シェーディング補正部４１、入力処理部４２、領域分離処理部５０の処理内容は、上述した印刷動作の場合と同じであり、その説明を省略する。なお、領域分離処理部５０は空間フィルタ部４７及び出力階調補正部４８に対して領域分離データを出力する。また、イメージ送信動作においては通常、原稿属性検出部４３及び原稿補正部４４の処理は、上述した印刷動作の場合と同じでありその説明を省略する。
【００５８】
色補正部４５では、一般に普及している表示装置の表示特性に適合したＲ’Ｇ’Ｂ’の画像データ（例えば、ｓＲＧＢデータ）に変換され、空間フィルタ部４７にて領域分離データを基にデジタルフィルタによる空間フィルタ処理（強調処理，平滑化処理）が行われる。また、出力階調補正部４８では、例えば、文字領域に対しては図３（ｂ）のガンマ曲線を用いた補正が行われ、文字以外の領域に対しては図３（ａ）のガンマ曲線を用いた補正が行われる。
【００５９】
なお、黒生成／下色除去部４６、中間調生成部４９は、入力される画像データに対して処理を行わず、該画像データをそのまま次の処理にスルーする。従って、出力階調補正部４８からは、Ｒ’Ｇ’Ｂ’の画像データが出力される。
【００６０】
また、原稿補正部４４から出力された画像データは、文字認識部５１において文字認識処理が行われ、描画コマンド生成部５２において、透明テキストを配置する命令の生成が行われる。
【００６１】
出力階調補正部４８から出力されるＲ’Ｇ’Ｂ’の画像データ及び描画コマンド生成部５２より出力される認識データは、フォーマット化処理部５３にてＰＤＦファイル等の画像ファイルに変換され、文字認識結果を透明テキストとして画像ファイルに埋込み、前記処理が施された画像ファイルは、図示しないメール処理部にて電子メールに添付され、電子メールがネットワークを介して相手先に送信される。
【００６２】
本実施の形態では、文字認識部５１による処理が領域分離処理部５０による処理より先立って施されているが、これに限るものでなく、領域分離処理部５０による処理の後、文字認識部５１による処理が施されるように構成しても良い。つまり、領域分離処理部５０からの領域分離データより作成されたテキストマップ（文字エッジと判定された画素よりなる画像領域）を参照して、文字認識部５１が文字領域に対して文字認識を行うように構成しても良い。或いは、文字認識部５１による処理の前、原稿種別自動判別の処理が行われるように構成し、文字原稿、文字印刷写真原稿、又は文字印画紙写真原稿等との判別がされた後、文字認識部５１が文字認識を行うようにしても良い。
【００６３】
図４は本発明の実施の形態１のデジタル複合機１の制御部２の要部構成を示す機能ブロック図である。制御部２はＣＰＵ２１、ＲＯＭ２２及びＲＡＭ２３を備えている。ＲＯＭ２２には各種の制御プログラム、データ及び後述する一覧数等が予め格納されており、ＲＡＭ２３はデータを一時的に記憶し、記憶順、記憶位置等に関係なく読み出すことが可能である。また、ＲＡＭ２３は、例えば、ＲＯＭ２２から読み出されたプログラム、該プログラムを実行することにより発生する各種データ、外部から受信した各種データを記憶する。
【００６４】
ＣＰＵ２１は、ＲＯＭ２２に予め格納されている制御プログラムをＲＡＭ２３上にロードして実行することによって前述の各種ハードウェアの制御を行い、装置全体を本発明の実施の形態１のデジタル複合機１として動作させる。
【００６５】
また、制御部２は範囲決定部２４、候補決定部２５、候補属性判定部２６及び非候補属性判定部２７を備えている。
【００６６】
範囲決定部２４は、一覧表示された図形の内、何れか１つの図形を利用者が指先等でタッチ操作した場合、該タッチ操作された図形を選択された図形として割り出すだめの範囲決定を行う。すなわち、利用者が指先等で画像表示部８の表示画面をタッチ操作した場合、指先と、表示画面との接触は所定の面積を有する。また、場合によっては、斯かる接触面積が２つの図形に跨る場合も生じ得る。このような場合、何れか１つの図形を選択する処理が必要となり、該処理の際、範囲決定部２４は後述する有効タッチ範囲を決定する。
【００６７】
候補決定部２５は、範囲決定部２４によって決定された有効タッチ範囲に基づき、タッチ操作された図形の候補（以下、候補図形という）を決定する。詳しくは、候補決定部２５は、有効タッチ範囲が及ぶ、１つ又は２つの図形を前記候補図形として決定する。
【００６８】
候補属性判定部２６は、候補決定部２５によって決定された候補図形が２つである場合、これらの属性を比較して同一であるか否かを判定する。該判定は、記憶部９に記憶されている原稿画像の属性、並びに画像表示部８のタッチパネル８１の検出結果に基づいて行われる。
【００６９】
非候補属性判定部２７は、候補属性判定部２６による判定結果、２つの候補図形の属性が同一でないと判定された場合、前記２つの候補図形の中の前記ページ番号が低い方の候補図形と、該候補図形より前記画像番号が１つ低い図形との属性が同一であるか否かを判定する。該判定は、記憶部９に記憶されている原稿画像のページ番号及び属性に基づいて行われる。
【００７０】
図５は前記原稿画像の属性表す図形及び色の一例を示す例示図である。図５（ａ）では、矩形の枠内が長手方向に４等分され、何れか１部分だけがぬりつぶされている。すなわち、図５（ａ）の例では、前記枠内における塗りつぶしの位置によって、夫々、天地方向「上」、天地方向「左」、天地方向「右」及び天地方向「下」を表している。図５（ｂ）では、「赤」、「青」、「緑」及び「黄」の色によって、夫々天地方向「上」、天地方向「左」、天地方向「右」及び天地方向「下」を表している。（図面上では、ハッチング模様を異にすることによって夫々の色を表している。）
【００７１】
なお、属性を表す図形及び色は、これに限るものでなく、前記枠の形を異にすることによって属性を表すように構成しても良い。例えば、四角形の枠が天地方向「上」を表し、三角形の枠が天地方向「左」を表し、六角形の枠は天地方向「右」を表し、円形の枠は天地方向「下」を表すものとし、これらを用いて原稿画像の属性を表示するように構成する。
以下においては、図形及び色が図５に例示するものである場合を例として説明する。
【００７２】
図６は前記接触面積が２つの図形に跨る場合、タッチ操作された図形を割り出すだめの処理を説明する説明図である。利用者によるタッチ操作が行われた場合、範囲決定部２４は、画像表示部８のタッチパネル８１の検出結果に基づき、指先と、表示画面との接触面積から有効タッチ範囲を決定する。
【００７３】
例えば、範囲決定部２４は、タッチパネル８１の検出結果に基づき、前記接触面積の中心点を計算し、該中心点から円周方向に、前記接触面積の全体の７５％に該当する範囲を有効タッチ範囲として決定する。
【００７４】
候補決定部２５は、範囲決定部２４によって決定された有効タッチ範囲に基づき、候補図形を決定する。図６においては、図６（ａ）及び図６（ｂ）の何れにおいても、前記有効タッチ範囲が図形Ａ、及び図形Ｂに及んでおり、図形Ａ及び図形Ｂが候補図形として決定される。
【００７５】
候補属性判定部２６は図形Ａ及び図形Ｂの属性が同一であるか否かを判定し、図形Ａ及び図形Ｂの属性が同一でないと判定された場合は、非候補属性判定部２７が図形Ａ及び図形Ｂの中のページ番号が低い方の候補図形（図形Ａ）と、該図形より前記ページ番号が１つ低い図形との属性が同一であるか否かを判定する。後述する選択受付部１１２は候補属性判定部２６の判定結果及び非候補属性判定部２７の決定に基づき、図形Ａ及び図形Ｂの中、何れか１つを選択された図形として受け付ける。
【００７６】
詳しくは、図６（ａ）の例においては、候補属性判定部２６が候補図形である図形Ａ及び図形Ｂの属性が同一であると判定することになり、斯かる場合、すなわち、候補図形の属性が同一である場合、選択受付部１１２は接触面積の中心点が位置する図形Ａを選択された図形として受け付ける。
【００７７】
一方、図６（ｂ）の例においては、候補属性判定部２６が候補図形である図形Ａ及び図形Ｂの属性が同一でないと判定することになり、非候補属性判定部２７によって、図形Ａと図形Ｚとの属性が同一であるか否かが判定され、同一であると判定される。斯かる場合、すなわち、候補図形の属性が同一でなく、ページ番号が低い方の候補図形（図形Ａ）と、該候補図形より前記画像番号が１つ低い図形（図形Ｚ）との属性が同一である場合、選択受付部１１２はページ番号が高い候補図形である図形Ｂを選択された図形として受け付ける。
【００７８】
例えば、図形Ａと図形Ｚとの属性が同一でない場合、すなわち、候補図形の属性が同一でなく、ページ番号が低い方の候補図形（図形Ａ）と、該候補図形より前記画像番号が１つ低い図形（図形Ｚ）との属性が同一でない場合、選択受付部１１２はページ番号が低い候補図形である図形Ａを選択された図形として受け付ける。
【００７９】
以上の構成により、２つの候補図形の属性が同一でない場合、ページ番号の昇順方向において、異なる属性となる最初の候補図形が、選択された図形として受け付けられる。その後、例えば、選択された図形に対応する原稿画像が画像表示部８に表示される。
【００８０】
図７は本発明の実施の形態１のデジタル複合機１の表示制御部１１の要部構成を示す機能ブロック図である。表示制御部１１は、属性表示部１１１と、選択受付部１１２とを備えている。
【００８１】
属性表示部１１１は、原稿属性検出部４３による属性検出結果に基づき、検出された画像の属性に対応する図形を記憶部９から読み出して画像表示部８に表示する。属性表示部１１１は、画像表示部８に表示される画像の属性に対応する図形のみを表示し、又は画像入力装置３にて読み取られた原稿に係る複数の原稿画像の属性に対応する、所定の数の図形を一覧表示する。該一覧表示にて表示できる図形の数（以下、一覧数）は予め設定されている。前記原稿の原稿画像の数が前記一覧数より多い場合、属性表示部１１１は、前記一覧数の単位で、何回に亘って全ての原稿画像に係る図形の表示を行う。
【００８２】
選択受付部１１２は、画像表示部８に表示すべき原稿画像の選択を、画像表示部８のタッチパネル８１を介して、利用者から受け付ける。例えば、一覧表示された図形の内、何れか１つの図形を利用者が指先等でタッチ操作した場合、該タッチ操作された図形を選択された図形として受け付ける。前記タッチ操作に係る候補図形が２つである場合は、選択受付部１１２は、上述したように、候補属性判定部２６の判定結果及び非候補属性判定部２７の判定結果に基づき、候補図形の中、何れか１つを選択された図形として受け付ける。
【００８３】
図８は本発明の実施の形態１のデジタル複合機１による図形の一覧表示の処理を説明するフローチャートである。以下、説明の便宜上、複数ページの原稿を画像入力装置３にて読み取り、読み取られた前記原稿に係る複数の原稿画像の属性（図形）を、属性表示部１１１が画像表示部８に一覧表示する場合を例として説明する。斯かる際、前記原稿の総ページ数、すなわち前記原稿画像の数は「１２」であり、前記一覧数は「１０」であるものとする。
【００８４】
図９は原稿属性検出部４３によって検出されて記憶部９に記憶された、原稿の各原稿画像の属性の一例を示すテーブルである。図９に示すように、１から１２までのページ番号に関連付けられ、前記原稿の各原稿画像の属性（天地方向及びカラー画像／モノクローム画像）が記憶されている。以下の説明は、このような検出結果の中、天地方向の属性を表示する場合について説明する。
【００８５】
まず、利用者は前記原稿を画像入力装置３の原稿台に載置し、操作パネル１０を操作して前記原稿の読み取りを指示する。ＣＰＵ２１は操作パネル１０を介して読み取りの指示を受け付け、画像入力装置３に指示して前記原稿の読み取りを実行する（ステップＳ１０１）。ＣＰＵ２１は、このように画像入力装置３によって取得された前記原稿の複数の原稿画像に夫々ページ番号を付して記憶部９に記憶する（ステップＳ１０２）。
【００８６】
次いで、ＣＰＵ２１は原稿属性検出部４３に指示し、前記複数の原稿画像の属性を検出する（ステップＳ１０３）。ＣＰＵ２１の指示に応じて原稿属性検出部４３は前記複数の原稿画像の属性を夫々検出し、検出された属性は当該原稿画像のページ番号に関連付けて記憶部９に記憶される（図９参照）。原稿属性検出部４３による各原稿画像の属性の検出については、上述した通りであり、詳しい説明を省略する。
【００８７】
その後、属性表示部１１２は前記複数の原稿画像の図形の一覧表示を行う（ステップＳ１０４）。すなわち、属性表示部１１２は、記憶部９に記憶されている属性及びページ番号に基づき、前記複数の原稿画像の各属性を表す図形を、前記ページ番号の昇順方向に並列させて表示する。従って、ページ番号「１」から、一覧数であるページ番号「１０」までの夫々の原稿画像の属性に対応する図形が、一列に、画像表示部８に表示される。
【００８８】
図１０は本発明の実施の形態１のデジタル複合機１による図形の一覧表示の処理結果の一例を示す例示図である。上述したように、前記複数の原稿画像の各属性を表す図形が、前記ページ番号の昇順方向に（図面視左から右方向）、ページ番号「１」から「１０」まで一列にて画像表示部８に表示されている。
【００８９】
図１０（ａ）においては、図５（ａ）で例示したように、前記枠内における塗りつぶしの位置の差によって、夫々、天地方向「上」、天地方向「左」及び天地方向「下」を表している。また、図１０（ｂ）においては、図５（ｂ）で例示したように、「赤」、「青」及び「緑」の色の差によって、夫々天地方向「上」、天地方向「左」及び天地方向「下」を表している。また、上述した手法によって選択を受け付けた図形に対応する原稿画像が画像表示部８に表示されている。
【００９０】
なお、図１０の例においては、より昇順又は降順方向のページ番号の原稿画像を表示する指示を受け付けるための「前へ」及び「次へ」ソフトキーが設けられており、利用者は前記「前へ」及び「次へ」ソフトキーを適宜タッチ操作することにより、画像表示部８に表示する原稿画像を変更できる。例えば、利用者が前記「前へ」（又は「次へ」）ソフトキーを所定回数タッチ操作した場合、現在表示されている原稿画像のページ番号より前記所定回数だけ昇順（又は降順）方向のページ番号の原稿画像が画像表示部８に表示される。
【００９１】
なお、画像表示部８には、図形の一覧表示で現在表示されていない、原稿画像の属性（天地方向）及びページ番号を表示する指示を受け付けるための「←前へ」及び「次へ→」ソフトキーが設けられており、利用者は前記「←前へ」及び「次へ→」ソフトキーを適宜タッチ操作することにより、一覧表示で現在されていない、図形（原稿画像の属性）及びページ番号を表示することができる。例えば、図１０に示す例においては、利用者が前記「次へ→」ソフトキーを１回タッチ操作した場合、画像表示部８に現在表示されていない、９ページ以降の原稿画像の属性を表す図形及びページ番号が表示される。
【００９２】
なお、本発明の実施の形態１のデジタル複合機１は表示すべき原稿画像の属性を選択できるように構成されている。図１１は本発明の実施の形態１のデジタル複合機１において、表示すべき属性の選択を受け付ける選択画面の一例を示す例示図である。
【００９３】
例えば、図１１（ａ）に例示する選択画面においては、夫々の属性の項目にチェックボックスが設けられており、例えば利用者は表示を希望する属性のチェックボックスをタッチ操作してチェックすることにより、当該属性の表示の指示を行う。ＣＰＵ２１はタッチパネル８１を介して該指示を受け付け、前記属性の一覧を表示するように、属性表示部１１１に指示する。これによって、夫々の属性を独立に表示することが出来る。
【００９４】
更に、複数の属性を共に表示できるように構成してもよい。例えば、１つの属性を図形で表示し、該図形に色を付けることによって、他の属性を同時に表示することが出来る。図１１（ｂ）には、このように、２つの属性を共に表示する場合における、選択画面の一例を示している。図１１（ｂ）に例示する選択画面においては、夫々の属性に対して、色で表示するか、図形で表示するかをチェックするチェックボックスが設けられており、例えば利用者は色での表示を希望する属性と、図形での表示を希望する属性とのチェックボックスを夫々タッチ操作してチェックすることにより、当該２つの属性を共に表示する指示を行う。ＣＰＵ２１はタッチパネル８１（選択画面）を介して該指示を受け付け、前記２つ属性の一覧を共に表示するように、属性表示部１１１に指示する。これによって、２つの属性を共に表示することが出来る。
【００９５】
図１２は図１１（ｂ）に例示したような指示を受け付けた場合において、図９の属性検出結果に基づく属性の一覧表示を示す例示図である。（図中では、ハッチングの模様を異にし、異なる色である旨を表している。）天地方向の属性を表す図形の一覧が表示された上に、該図形の塗りつぶしの色を異にすることによって、カラー／モノクロの属性が共に表示されている。
【００９６】
図１３は一覧表示された属性の内、利用者のタッチ操作によって選択された属性に係る原稿画像を表示する処理を説明するフローチャートである。説明の便宜上、属性は図形で表示されているものとし、図６を用いて説明する。
【００９７】
利用者によって図形の一覧表示の内、何れかの図形がタッチ操作された場合、画像表示部８のタッチパネル８１は前記タッチ操作に対応する画像表示部８の表示画面上の位置（座標）を検出する（ステップＳ２０１）。
【００９８】
次いで、範囲決定部２４は、タッチパネル８１の検出結果に基づき、指先と、前記表示画面との接触面積から前記有効タッチ範囲を決定する（ステップＳ２０２）。範囲決定部２４による有効タッチ範囲の決定については上述した通りであり、詳しい説明を省略する。
【００９９】
候補決定部２５は、範囲決定部２４によって決定された有効タッチ範囲に基づき、前記候補図形を決定する（ステップＳ２０３）。例えば、図６の例においては、図形Ａ及び図形Ｂが候補図形として決定される。
【０１００】
次いで、ＣＰＵ２１は、候補決定部２５による決定結果に基づき、候補図形が２つであるか否かを判定する（ステップＳ２０４）。ＣＰＵ２１が、候補図形が２つでないと判定した場合（ステップＳ２０４：ＮＯ）、すなわち、候補図形が１つである場合、処理はステップＳ２０９に移動し、選択受付部１１２は前記接触面積の中心点が位置する図形を選択された図形として受け付ける（ステップＳ２０９）。
【０１０１】
一方、ＣＰＵ２１が、候補図形が２つであると判定した場合（ステップＳ２０４：ＹＥＳ）、記憶部９に記憶されている各原稿画像の属性に基づき、候補属性判定部２６は２つの候補図形（図形Ａ及び図形Ｂ）の属性が同一であるか否かを判定する（ステップＳ２０５）。
【０１０２】
候補属性判定部２６によって２つの候補図形の属性が同一であると判定された場合（ステップＳ２０５：ＹＥＳ）、処理はステップＳ２０９に移動し、選択受付部１１２は前記接触面積の中心点が位置する図形を選択された図形として受け付ける（ステップＳ２０９）。図６（ａ）の例においては、候補属性判定部２６が図形Ａ及び図形Ｂの属性を同一であると判定することになるので、選択受付部１１２は接触面積の中心点が位置する図形Ａを選択された図形として受け付ける。
【０１０３】
その後、ＣＰＵ２１は選択受付部１１２が受け付けた選択に係る図形に対応する原稿画像の表示を表示制御部１１に指示し、表示制御部１１は、記憶部９に記憶されている、前記図形に対応する原稿画像を読み出し、画像表示部８に表示する（ステップＳ２０８）。
【０１０４】
一方、候補属性判定部２６によって２つの候補図形の属性が同一でないと判定された場合（ステップＳ２０５：ＮＯ）、非候補属性判定部２７は、２つの候補図形の内、ページ番号が低い方の候補図形と、該候補図形より前記ページ番号が１つ低い図形との属性が同一であるか否かを判定する（ステップＳ２０６）。６（ｂ）の例においては、非候補属性判定部２７が図形Ａと図形Ｚとの属性が同一であるか否かを判定する。
【０１０５】
非候補属性判定部２７によって、ページ番号が低い方の候補図形と、該候補図形より前記ページ番号が１つ低い図形との属性が同一であると判定された場合（ステップＳ２０６：ＹＥＳ）、選択受付部１１２は前記２つの候補図形の内、ページ番号が高い方の候補図形を、選択された図形として受け付ける（ステップＳ２１０）。すなわち、６（ｂ）の例においては、選択受付部１１２が図形Ｂを、選択された図形として受け付ける。その後、ＣＰＵ２１の指示に応じて、表示制御部１１は選択された図形に対応する原稿画像を画像表示部８に表示する（ステップＳ２０８）。
【０１０６】
一方、非候補属性判定部２７によって、ページ番号が低い方の候補図形と、該候補図形より前記ページ番号が１つ低い図形との属性が同一でないと判定された場合（ステップＳ２０６：ＮＯ）、選択受付部１１２は前記２つの候補図形の内、ページ番号が低い方の図形を、選択された図形として受け付ける（ステップＳ２０７）。その後、ＣＰＵ２１の指示に応じて、表示制御部１１は選択された図形に対応する原稿画像を画像表示部８に表示する（ステップＳ２０８）。
【０１０７】
これによって、前記２つの候補図形の内、ページ番号の昇順方向において、異なる属性となる最初の候補図形が、選択された図形として受け付けられる。
【０１０８】
（実施の形態２）
実施の形態２のデジタル複合機１においては、画像入力装置３にて読み取られた原稿の原稿画像の数が、１回の一覧表示で表示できる図形の数（一覧数）より多い場合、当該複数の原稿画像の一部からなる画像の組が決定され、該画像の組の原稿画像の各属性の中、１つのみが表示されることによって、前記複数の原稿画像の属性を、１回の一覧表示でまとめて表示することが出来るように構成されている。
【０１０９】
図１４は本発明の実施の形態２のデジタル複合機１の表示制御部１１の要部構成を示す機能ブロック図である。実施の形態１と同様に、表示制御部１１は属性表示部１１１と選択受付部１１２とを備えている。更に、実施の形態２のデジタル複合機１の表示制御部１１は、数判定部１１３及び組決定部１１４を備えている。
【０１１０】
数判定部１１３は、画像入力装置３にて読み取られた原稿の原稿画像の数が、図形の一覧数より多いか否かの判定を行う。
【０１１１】
例えば、画像入力装置３にて読み取られた原稿の複数の原稿画像は、上述したように、夫々の原稿画像にページ番号が付されて記憶部９に記憶される。また、ＲＯＭ２２には既に前記一覧数が記憶されているので、数判定部１１３は最大ページ番号を前記一覧数と比較することによって斯かる判定を行うことができる。
【０１１２】
組決定部１１４は、数判定部１１３により、画像入力装置３にて読み取られた原稿の原稿画像の数が、図形の一覧数より多いと判定された場合、当該複数の原稿画像の一部からなる所定の画像の組を決定する。組決定部１１４による画像の組の決定は、原稿画像のページ番号に基づいて行われる。該ページ番号を用いて所定の演算を行い、該演算によって得られる数値（結果値）が同一である原稿画像を１つの組として決定する。
【０１１３】
以下、組決定部１１４による画像の組の決定について詳しく説明する。
各ページ番号を「（ページ番号−１）×一覧数／総ページ数＋１」の式に代入して計算を行い、該計算によって得られる数値を四捨五入して各原稿画像（ページ番号）に対応する結果値を得る。得られた結果値には記憶部９に記憶される。また、得られた結果値には、重複する結果値と、重複しない結果値が存在する。組決定部１１４は、重複する結果値に対応する複数の原稿画像を１つの画像の組として決定し、該画像の組の各原稿画像の属性のうち、何れか１つのみが表示される。
【０１１４】
詳しくは、画像の組の各原稿画像の属性が同一である場合は、同一である該属性が表示される。一方、画像の組の各原稿画像の属性が同一でない場合は、例えば、割合の多い属性、又はページ番号が一番低い原稿画像の属性のみが表示される。なお、重複がない結果値に対応する原稿画像は、該原稿画像の属性を単独で表示する。
【０１１５】
図１５は本発明の実施の形態２のデジタル複合機１において、組決定部１１４による画像の組の決定を説明するテーブルである。該テーブルは記憶部９に記憶されている。
図１５に示すテーブルにおいては、ページ番号「４」及び「５」を前記式に代入して計算し、この計算によって得られる数値を四捨五入した場合、結果値として何れも「４」が得られる。また、ページ番号「１０」及び「１１」の場合においても、結果値が何れも「９」である。この結果に基づき、組決定部１１４は、結果値が重複するページ番号「４」及び「５」の原稿画像、並びにページ番号「１０」及び「１１」の原稿画像を、夫々１つの画像の組として決定し、ページ番号「４」及び「５」、並びにページ番号「１０」及び「１１」に対しては、何れか一方の属性のみが表示される。
【０１１６】
例えば、図１５に示すテーブルの天地方向の属性においては、ページ番号「４」及び「５」、並びにページ番号「１０」及び「１１」の属性が夫々同一であるので、同一である該属性が表示される。
【０１１７】
なお、組決定部１１４による画像の組の決定は以上の記載内容に限るものでない。例えば、原稿画像のページ番号の昇順方向に、所定数のページ番号毎に１つの組として決定するように構成しても良い。
【０１１８】
図１６は本発明の実施の形態２のデジタル複合機１による図形の一覧表示の処理を説明するフローチャートである。以下、説明の便宜上、複数ページの原稿を画像入力装置３にて読み取り、読み取られた前記原稿に係る複数の原稿画像の属性（図形）を、属性表示部１１１が画像表示部８に一覧表示する場合を例として説明する。斯かる際、前記原稿の総ページ数、すなわち前記原稿画像の数は「１２」であり、前記一覧数は「１０」であるものとする。なお、図１５に示すテーブルに基づいて、かつ前記原稿の各原稿画像の属性の中、天地方向の属性を図形で表示する場合を例として説明する。
【０１１９】
まず、利用者は前記原稿を画像入力装置３の原稿台に載置し、操作パネル１０を操作して前記原稿の読み取りを指示する。ＣＰＵ２１は操作パネル１０を介して読み取りの指示を受け付け、画像入力装置３に指示して前記原稿の読み取りを実行する（ステップＳ３０１）。ＣＰＵ２１は、このように画像入力装置３によって取得された前記原稿の複数の原稿画像に夫々ページ番号を付して記憶部９に記憶する（ステップＳ３０２）。
【０１２０】
次いで、ＣＰＵ２１は原稿属性検出部４３に指示し、前記複数の原稿画像の属性を検出する（ステップＳ３０３）。ＣＰＵ２１の指示に応じて原稿属性検出部４３は前記複数の原稿画像の属性を夫々検出し、検出された属性は当該原稿画像のページ番号に関連付けて記憶部９に記憶される（図１５参照）。原稿属性検出部４３による各原稿画像の属性の検出については、上述した通りであり、詳しい説明を省略する。
【０１２１】
その後、数判定部１１３は、画像入力装置３にて読み取られた原稿の原稿画像の数が、図形の一覧数より多いか否かの判定を行う（ステップＳ３０４）。数判定部１１３による判定については、上述した通りであり、詳しい説明を省略する。
【０１２２】
数判定部１１３により画像入力装置３にて読み取られた原稿の原稿画像の数が、図形の一覧数より多くないと判定された場合（ステップＳ３０４：ＮＯ）場合、属性表示部１１２は、記憶部９に記憶されている属性及びページ番号に基づき、前記原稿の原稿画像の図形の一覧表示を行う（ステップＳ３０８）。
【０１２３】
一方、数判定部１１３により画像入力装置３にて読み取られた原稿の原稿画像の数が、図形の一覧数より多いと判定された場合（ステップＳ３０４：ＹＥＳ）、組決定部１１４は当該原稿の原稿画像の一部からなる所定の画像の組を決定する（ステップＳ３０５）。組決定部１１４による画像の組の決定は、上述したように、各原稿画像のページ番号に基づいて行われ、詳しい説明を省略する。
【０１２４】
その後、ＣＰＵ２１は組決定部１１４によって決定された画像の組の各原稿画像の属性が同一であるか否かを判定する（ステップＳ３０６）。前記画像の組の各原稿画像の属性が同一であると判定した場合（ステップＳ３０６：ＹＥＳ）、ＣＰＵ２１は同一であるその属性を表示すべき属性として選択する（ステップＳ３０７）。
【０１２５】
次いで、ＣＰＵ２１は、このような選択に基づき、属性表示部１１２に一覧表示を指示し、ＣＰＵ２１の指示に応じて属性表示部１１２が前記原稿の原稿画像の図形の一覧表示を行う（ステップＳ３０８）。すなわち、属性表示部１１２は、記憶部９の記憶内容及びＣＰＵ２１による選択に基づき、前記原稿の原稿画像の各属性を表す図形の一覧表示を画像表示部８に行う。この際、前記画像の組に対しては、ステップＳ３０７にて選択された属性のみが表示される。
【０１２６】
また、前記画像の組の各原稿画像の属性が同一でないと判定した場合（ステップＳ３０６：ＮＯ）、ＣＰＵ２１は、例えば、前記画像の組の各原稿画像の属性のうち、割合の多い属性を表示すべき属性として選択する（ステップＳ３０９）。次いで、ＣＰＵ２１は属性表示部１１２に一覧表示を指示し、属性表示部１１２は、記憶部９の記憶内容及びＣＰＵ２１による選択に基づき、前記原稿の原稿画像の各属性を表す図形の一覧表示を画像表示部８に行う（ステップＳ３０８）。この際、前記画像の組に対しては、ステップＳ３０９にて選択された属性のみが表示される。
【０１２７】
図１５に示すテーブルの天地方向の属性においては、ページ番号「４」及び「５」の原稿画像、並びにページ番号「１０」及び「１１」の原稿画像が、夫々１つの画像の組として決定されるので、ページ番号「４」及び「５」、並びにページ番号「１０」及び「１１」に対しては、何れか一方の属性のみが表示されることになる。すなわち、前記原稿画像の数である「１２」個の属性が、前記一覧数に該当する「１０」個の属性としてまとめて表示される。
【０１２８】
図１７は本発明の実施の形態２のデジタル複合機１において、画像入力装置３にて読み取られた原稿の原稿画像の数が図形の一覧数より多い場合の図形の一覧表示を示す例示図である。該図形の一覧表示は、図１５に示すテーブルの天地方向の属性に基づいて、図５（ａ）で例示した図形を用いて表示するものである。
【０１２９】
上述したように、図１５に示すテーブルにおいては、ページ番号「４」及び「５」の原稿画像、並びにページ番号「１０」及び「１１」の原稿画像が、夫々１つの画像の組として決定される。更に、ページ番号「４」及び「５」の原稿画像からなる画像の組と、ページ番号「１０」及び「１１」の原稿画像からなる画像の組とは、画像の組の各原稿画像の属性（天地方向）が同一であって夫々「下」及び「上」であるので、同一であるその属性が夫々の画像の組に係る属性として、図形の一覧表示が行われている。
【０１３０】
その後、所定の図形のタッチ操作により、該図形に対応する原稿画像が画像表示部８に表示される。なお、より昇順又は降順方向のページ番号の原稿画像を表示する指示を受け付けるための「前へ」及び「次へ」ソフトキーが画像表示部８に設けられており、利用者は前記「前へ」及び「次へ」ソフトキーを適宜タッチ操作することにより、画像表示部８に表示する原稿画像を変更できる。
【０１３１】
実施の形態１と同様の部分については、同一の符号を付して詳細な説明を省略する。
【０１３２】
（実施の形態３）
実施の形態３のデジタル複合機１においては、画像入力装置３にて読み取られた原稿の原稿画像の数（以下、原稿画像数という。）が、１回の一覧表示で表示できる図形の数（一覧数）より多い場合、ページ番号が連続する原稿画像からなる画像の組が決定され、該画像の組の原稿画像の各属性の中、１つのみが表示されることによって、前記複数の原稿画像の属性を、１回の一覧表示でまとめて表示することが出来るように構成されている。
【０１３３】
図１８は本発明の実施の形態３のデジタル複合機１の表示制御部１１の要部構成を示す機能ブロック図である。実施の形態２と同様に、表示制御部１１は属性表示部１１１、選択受付部１１２、数判定部１１３及び組決定部１１４を備えている。更に、実施の形態３のデジタル複合機１の表示制御部１１は、組属性判定部１１５を備えている。
【０１３４】
実施の形態３のデジタル複合機１において、組決定部１１４は、実施の形態２の場合と異なり、前記原稿画像数が、前記一覧数より多い場合、ページ番号が連続する原稿画像からなる画像の組を決定する。例えば、原稿画像数が、前記一覧数より多い場合、組決定部１１４は、ページ番号の昇順方向に、原稿画像を２つ又は３つずつ、１つの画像の組として決定する。従って、原稿画像を２つずつ、１つの画像の組として決定された場合は、ページ番号が連続する２つの原稿画像が１つの画像の組として決定され、原稿画像数の１／２に該当する数の画像の組が決定される。また、原稿画像を３つずつ、１つの画像の組として決定された場合は、ページ番号が連続する３つの原稿画像が１つの画像の組として決定され、原稿画像数の１／３に該当する数の画像の組が決定される。
【０１３５】
組属性判定部１１５は、組決定部１１４によって決定された画像の組の各原稿画像の属性が全て同一であるか否かを判定する。例えば、上述したように、ページ番号が連続する２つ（又は３つ）の原稿画像が１つの画像の組として決定された場合は、これら２つ（又は３つ）の原稿画像の属性夫々が全て同一であるか否かを判定する。
【０１３６】
属性表示部１１１は、前記図形の一覧表示において、組属性判定部１１５の判定結果に基づき、前記画像の組の原稿画像の各属性の中、何れか１つのみを順次反復表示又は静止表示する。例えば、組属性判定部１１５によって、前記画像の組の各原稿画像の属性が全て同一であると判定された場合、該同一の属性を静止表示する。一方、組属性判定部１１５によって、前記画像の組の各原稿画像の属性が全て同一でないと判定された場合、属性表示部１１１は、前記画像の組の各原稿画像の属性を、１つずつ、順次反復して表示する。例えば、ページ番号が連続する３つの原稿画像が１つの画像の組として決定された場合、３つの原稿画像の属性のうち、１つの属性のみが異なる場合であっても、属性表示部１１１は順次反復表示を行う。
【０１３７】
また、属性表示部１１１は、前記図形の一覧表示を行う場合であって、前記画像の組の各原稿画像の属性を順次反復表示する際、隣に表示すべき属性の何れかと同一である属性は表示しないように構成されている。なお、隣に表示すべき属性の何れかと同一である属性を表示しないことによって、順次反復表示すべき属性が１つのみとなった場合、該１つのみの属性は順次反復表示を行わず、静止表示するように構成されている。
【０１３８】
以下、図を用いて属性表示部１１１の作用を詳しく説明する。図１９は本発明の実施の形態３のデジタル複合機１において、属性表示部１１１の作用を説明する説明図である。説明の便宜上、原稿画像を３つずつ、１つの画像の組として決定された場合、すなわち、ページ番号が連続する３つの原稿画像が１つの画像の組として決定された場合であって、該画像の組の原稿画像の各属性の中、１つのみを表示して、図形の一覧表示を行う場合を例として説明する。図中、１つの矩形枠は３つの原稿画像の属性、換言すれば、１つの画像の組に係る属性を表示している。
【０１３９】
例えば、組属性判定部１１５によって、所定の画像の組の各原稿画像の属性が全て同一であると判定された場合は、属性表示部１１１は該同一の属性に対応する図形のみを表示する（「静止表示Ｄ」の図形参照）。「静止表示Ｄ」の図形においては、前記画像の組の原稿画像の属性が全て同一である（天地方向「上」）ので、天地方向「上」を表す図形のみが表示されている。
【０１４０】
一方、組属性判定部１１５によって、所定の画像の組の各原稿画像の属性が全て同一でないと判定された場合、属性表示部１１１は、該画像の組の各原稿画像の属性に対応する図形を、１つずつ、順次反復して表示する（「順次反復表示Ａ」の図形参照）。例えば、各原稿画像の属性が全て同一でない場合の「順次反復表示Ａ」の図形においては、天地方向「上」、天地方向「左」及び天地方向「右」を表す図形が１つずつ、順次反復して表示される。
【０１４１】
また、所定の画像の組の各原稿画像の属性を順次反復表示する際、隣に表示すべき図形の何れかと同一である属性を含む場合、属性表示部１１１は、該属性を表す図形は表示しない（「順次反復表示Ｂ」の図形参照）。例えば、「順次反復表示Ｂ」の図形においては、天地方向「上」、天地方向「左」及び天地方向「右」を表す図形が１つずつ、順次反復して表示されるべきであるが、前記属性のうち、天地方向「上」の属性が、図面視右側の図形に係る静止表示の属性と同じであるので、天地方向「上」の属性は前記順次反復表示から除外され、天地方向「左」及び天地方向「右」を表す図形のみが順次反復表示される。
【０１４２】
更に、所定の画像の組の各原稿画像の属性を順次反復表示する際、隣に表示すべき図形の何れかと同一である属性を該順次反復表示から除外することにより、順次反復表示すべき属性が１つのみとなった場合、属性表示部１１１は、該１つのみの属性を順次反復表示せず、静止表示する（「静止表示Ｃ」の図形参照）。例えば、「静止表示Ｃ」の図形においては、天地方向「上」、天地方向「右」及び天地方向「下」を表す図形が１つずつ、順次反復して表示されるべきであるが、前記属性のうち、天地方向「上」の属性が、図面視左側の図形に係る属性と同じであり、かつ天地方向「下」の属性が、図面視右側の図形に係る属性と同じであるので、順次反復表示すべき属性が天地方向「右」のみとなる。斯かる場合、属性表示部１１１は、天地方向「右」の属性を表す図形を前記順次反復表示せず、静止表示する。
【０１４３】
図２０は本発明の実施の形態３のデジタル複合機１による図形の一覧表示の処理を説明するフローチャートである。以下、説明の便宜上、複数ページの原稿を画像入力装置３にて読み取り、読み取られた前記原稿に係る複数の原稿画像の属性（図形）を、属性表示部１１１が画像表示部８に一覧表示する場合を例として説明する。斯かる際、前記原稿の総ページ数、すなわち前記原稿画像数は前記一覧数より多いものとする。なお、図１９に示す例に基づいて説明する。
【０１４４】
まず、利用者は前記原稿を画像入力装置３の原稿台に載置し、操作パネル１０を操作して前記原稿の読み取りを指示する。ＣＰＵ２１は操作パネル１０を介して読み取りの指示を受け付け、画像入力装置３に指示して前記原稿の読み取りを実行する（ステップＳ４０１）。ＣＰＵ２１は、このように画像入力装置３によって取得された前記原稿の複数の原稿画像に夫々ページ番号を付して記憶部９に記憶する（ステップＳ４０２）。
【０１４５】
次いで、ＣＰＵ２１は原稿属性検出部４３に指示し、ＣＰＵ２１の指示に応じて原稿属性検出部４３は前記複数の原稿画像の属性を夫々検出し（ステップＳ４０３）、検出された属性は当該原稿画像のページ番号に関連付けて記憶部９に記憶される。原稿属性検出部４３による各原稿画像の属性の検出については、上述した通りであり、詳しい説明を省略する。
【０１４６】
その後、数判定部１１３は、前記原稿画像数が、図形の一覧数より多いか否かの判定を行う（ステップＳ４０４）。数判定部１１３による判定については、上述した通りであり、詳しい説明を省略する。
【０１４７】
数判定部１１３により原稿画像数が、図形の一覧数より多くないと判定された場合（ステップＳ４０４：ＮＯ）場合、属性表示部１１２は、記憶部９に記憶されている属性及びページ番号に基づき、前記原稿の原稿画像の図形の一覧表示を行う（ステップＳ４０８）。
【０１４８】
一方、数判定部１１３により原稿画像数が、図形の一覧数より多いと判定された場合（ステップＳ４０４：ＹＥＳ）、組決定部１１４は、連続するページ番号の原稿画像からなる所定の画像の組を決定する（ステップＳ４０５）。組決定部１１４による画像の組の決定は、上述した通りであり、詳しい説明を省略する。ちなみに、図１９に示す例においては、ページ番号が連続する３つの原稿画像が１つの画像の組として決定されている。
【０１４９】
その後、組属性判定部１１５は、組決定部１１４によって決定された所定の画像の組の各原稿画像の属性が全て同一であるか否かを判定する（ステップＳ４０６）。組属性判定部１１５が、前記画像の組の各原稿画像の属性が全て同一であると判定した場合（ステップＳ４０６：ＹＥＳ）、属性表示部１１１は、同一である該属性を表す図形のみを表示することにより（ステップＳ４０９）、図形の一覧表示を行う（「図１９の静止表示Ｄ」の図形参照）。
【０１５０】
一方、組属性判定部１１５が、前記画像の組の各原稿画像の属性が全て同一でないと判定した場合（ステップＳ４０６：ＮＯ）、属性表示部１１１は、前記画像の組の各原稿画像の属性を表す図形を、１つずつ、順次反復して表示することにより（ステップＳ４０７）、図形の一覧表示を行う（図１９の「順次反復表示Ａ」及び「順次反復表示Ｂ」の図形参照）。詳しいことは上述した通りであり、詳細な説明を省略する。
【０１５１】
また、前記画像の組の各原稿画像の属性を順次反復表示する際、隣に表示すべき図形の何れかと同一である属性が前記順次反復表示から除外され、該順次反復表示すべき属性が１つのみとなった場合、上述したように、属性表示部１１１は該１つのみの属性を表す図形を静止表示する（図１９の「静止表示Ｃ」の図形参照）。
【０１５２】
実施の形態１又は実施の形態２と同様の部分については、同一の符号を付して詳細な説明を省略する。
【０１５３】
（実施の形態４）
図２１は本発明の実施の形態４のデジタル複合機１の要部構成を示す機能ブロック図である。実施の形態４のデジタル複合機１は、動作を行うためのプログラムが、通信ＩＦ１３を介してＣＤ−ＲＯＭ等の記録媒体の可搬型記録媒体Ａで提供することも可能であるように構成されている。更に、実施の形態４のデジタル複合機１は、前記コンピュータプログラムを、図示しない外部装置から通信ＩＦ１３を介してダウンロードすることも可能であるように構成されている。以下に、その内容を説明する。
【０１５４】
実施の形態４のデジタル複合機１は外装（又は内装）の記録媒体読み取り装置（図示せず）を備えており、該記録媒体読み取り装置に、画像の属性を検出させ、属性の検出結果に基づき、該画像の属性に対応する図形を表示部に表示させるプログラム等が記録された可搬型記録媒体Ａを挿入して、例えば記憶部９にこのプログラムをインストールする。斯かるプログラムはＲＡＭ２３にロードして実行される。これにより、本発明の実施の形態４のデジタル複合機１として機能する。
【０１５５】
前記記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１５６】
いずれの場合においても、格納されているプログラムコードはＣＰＵがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１５７】
ここで、上記プログラムメディアは、本体と分離可能に構成される記録媒体であり、磁気テープ又はカセットテープ等のテープ系、フレキシブルディスク又はハードディスク等の磁気ディスク又はＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically  Erasable  Programmable  Read  Only  Memory）、フラッシュＲＯＭ等による半導体メモリを含めた固定的にプログラムコードを担持する媒体であっても良い。
【０１５８】
実施の形態１と同様の部分については、同一の符号を付して詳細な説明を省略する。  
【符号の説明】
【０１５９】
２  制御部
３  画像入力装置
４  画像処理装置
５  画像出力装置
８  画像表示部
９  記憶部（記憶手段）
１１  表示制御部（画像表示手段）
２１  ＣＰＵ
２４  範囲決定部
２５  候補決定部
２６  候補属性判定部
２７  非候補属性判定部
４３  原稿属性検出部
８１  タッチパネル
１１１  属性表示部
１１２  選択受付部
１１３  数判定部
１１４  組決定部
１１５  組属性判定部
【図１】
0005568360.tif 000002
【図２】
0005568360.tif 000003
【図３】
0005568360.tif 000004
【図４】
0005568360.tif 000005
【図５】
0005568360.tif 000006
【図６】
0005568360.tif 000007
【図７】
0005568360.tif 000008
【図８】
0005568360.tif 000009
【図９】
0005568360.tif 000010
【図１０】
0005568360.tif 000011
【図１１】
0005568360.tif 000012
【図１２】
0005568360.tif 000013
【図１３】
0005568360.tif 000014
【図１４】
0005568360.tif 000015
【図１５】
0005568360.tif 000016
【図１６】
0005568360.tif 000017
【図１７】
0005568360.tif 000018
【図１８】
0005568360.tif 000019
【図１９】
0005568360.tif 000020
【図２０】
0005568360.tif 000021
【図２１】
0005568360.tif 000022